(57)【特許請求の範囲】
【請求項１】
遊技盤及び当該遊技盤を組み付けてなる枠体を有する遊技機本体と、
この遊技機本体に開閉可能に支持される前扉とを備えて、
この前扉を開くことにより前記遊技盤をその盤面側から開放し、前記前扉を閉じることにより前記遊技盤をその盤面側から覆うようにしてなるパチンコ遊技機において、
前記遊技機本体と前記前扉の間に設けられるセキュリティ板を備えており、
このセキュリティ板は、前記遊技機本体に前記遊技盤側から開閉可能に支持される保持枠と、透明板を有して前記保持枠内に前後方向に変位可能に保持される変位板部材と、変位機構と、ロック機構とを備えて、
前記変位機構は、
操作により一方向或いは他方向へ回動する駆動機構部と、
前記保持枠の上壁にその内面に沿うように支持されて当該上壁に設けた上側ばね部材に抗して前記変位板部材の上部を前方へ変位させ、或いは前記上側ばね部材の付勢のもとに前記変位板部材の上部を後方へ変位させるように回動する上側回動カム機構部と、
前記保持枠の下壁にその内面に沿うように支持されて当該下壁に設けた下側ばね部材に抗して前記変位板部材の下部を前方へ変位させ、或いは前記下側ばね部材の付勢のもとに前記変位板部材の下部を後方へ変位させるように回動する下側回動カム機構部と、
前記保持枠の上下方向壁にその内面に沿うように支持されて前記駆動機構部の前記一方向への回動に応じて前記変位板部材の前記上下両壁を前方へ変位させるべく前記一方向への回動を前記上下両側回動カム機構部に伝達するように回動し、或いは前記駆動機構部の前記他方向への回動に応じて前記変位板部材の前記上下両壁を後方へ変位させるべく前記他方向への回動を前記上下両側回動カム機構部に伝達するように回動する回動伝達機構部とを具備してなり、
前記ロック機構は、前記セキュリティ板の前記保持枠を前記枠体に解除可能にロックするようになっていることを特徴とするパチンコ遊技機。
【請求項２】
前記ロック機構は、
前記保持枠に支持されて前記回動伝達機構部から前記一方向或いは他方向への回動の伝達を受けて回動する回動部材と、
この回動部材に同軸的に支持されて前記枠体の一部に設けた係止部材に係止するように回動し、或いは当該係止部材から解離するように回動するロックレバーとを備えて、
当該ロックレバーの前記係止部材に対する係止により前記保持枠を前記枠体にロックし、このロックを前記ロックレバーの前記係止部材からの解離により解除するようにしたことを特徴とする請求項１に記載のパチンコ遊技機。
【請求項３】
前記遊技盤は、その盤面にその少なくとも下側外周部に沿い上に凹な湾曲状となるように設けられる内レールと、球落下防止装置とを備えて、
この球落下防止装置は、
前記内レールの下側部位の下面に沿い前後方向に変位する球受けレールと、
前記セキュリティ板が前記変位板部材にて前方へ移動するのにあわせて、前記球受けレールを前記内レールの下側部位の下面に沿い前方へ移動させるように駆動する駆動機構とを具備することを特徴とする請求項１または２に記載のパチンコ遊技機。
【請求項４】
前記遊技盤は、前記盤面の外周部から前方へ突出してなる装飾部品を備えており、
前記セキュリティ板は、その前記装飾部品に対する対応部位にて、空所を当該装飾部品の挿通可能に形成してなることを特徴とする請求項１〜３のいずれか１つに記載のパチンコ遊技機。
【発明の詳細な説明】
【技術分野】
【０００１】
本発明は、パチンコ遊技機に係り、特に、遊技盤を有する遊技機本体と、この遊技機本体にその遊技盤を介し開閉可能に支持される前扉とからなるパチンコ遊技機に関する。
【背景技術】
【０００２】
従来、この種のパチンコ遊技機においては、下記特許文献１に記載のパチンコ遊技機が提案されている。このパチンコ遊技機の遊技盤の盤面には、始動入賞口装置や大入賞口装置等の遊技球の払い出しに関与する種々の役物が設けられている。
【０００３】
ここで、前扉は、閉じたとき遊技盤を覆うことで、一応、上述の種々の役物を保護する役割を果たしている。
【先行技術文献】
【特許文献】
【０００４】
【特許文献１】特開２００９−２９１５２０号公報
【発明の概要】
【発明が解決しようとする課題】
【０００５】
ところで、上記パチンコ遊技機において、隙間が、前扉と遊技機本体との間に僅かでも存在すると、この隙間を介して前扉と遊技機本体との間にピアノ線などを挿入して役物を不正に動作させることで、多数の遊技球を獲得するという不正行為（所謂ゴト行為）が行われるおそれがある。
【０００６】
このような不正行為を防止する方策としては、セキュリティ板を遊技機本体と前扉の間にて上記隙間をなくするように遊技機本体にその盤面側から装着することが考えられる。
【０００７】
しかしながら、このようにセキュリティ板を装着すると、遊技盤とセキュリティ板との間隙が狭くなりすぎて、遊技球が、遊技盤とセキュリティ板との間に移動不能に挟まれるといういわゆる球噛みが発生するおそれがある。
【０００８】
これに対しては、セキュリティ板を遊技機本体にその盤面側から開閉可能に設けることで、球噛みが発生したとき、セキュリティ板を開くようにしてもよいが、単にセキュリティ板を開閉可能に設けるのみでは、セキュリティ板を開くことにより、球噛みを解消し得るとしても、パチンコ遊技機としてのセキュリティの低下を招くという不具合が生ずる。
【０００９】
そこで、本発明は、以上のようなことに対処するため、セキュリティ板を遊技機本体にその遊技盤側から開閉可能に設け、かつ、当該セキュリティ板を閉じたときにこのセキュリティ板を遊技機本体に解除可能にロックする構成及びこのロック状態にて球噛みを解消可能にする構成のもとに、球噛みを解消しつつ不正行為を防止し得るようにしたパチンコ遊技機を提供することを目的とする。
【課題を解決するための手段】
【００１０】
上記課題の解決にあたり、本発明に係るパチンコ遊技機は、請求項１の記載によれば、
遊技盤（Ｐ）及び当該遊技盤を組み付けてなる枠体（Ｈ）を有する遊技機本体と、
この遊技機本体に開閉可能に支持される前扉（Ｄ）とを備えて、
この前扉を開くことにより遊技盤をその盤面（３１）側から開放し、前扉を閉じることにより遊技盤をその盤面側から覆うようにしてなるものである。
当該パチンコ遊技機において、遊技機本体と前扉の間に設けられるセキュリティ板（Ｓ）を備えており、
このセキュリティ板は、遊技機本体に遊技盤側から開閉可能に支持される保持枠（６１）と、透明板（６４）を有して保持枠内に前後方向に変位可能に保持される変位板部材（６２）と、変位機構（Ｂ１）と、ロック機構（Ｂ２）とを備えて、
変位機構は、
操作により一方向或いは他方向へ回動する駆動機構部（Ｂａ）と、
保持枠の上壁（６１ａ）にその内面に沿うように支持されて当該上壁に設けた上側ばね部材（６１ｇ）に抗して変位板部材の上部を前方へ変位させ、或いは上側ばね部材の付勢のもとに変位板部材の上部を後方へ変位させるように回動する上側回動カム機構部（Ｂｃ）と、
保持枠の下壁（６１ｄ）にその内面に沿うように支持されて当該下壁に設けた下側ばね部材（６１ｇ）に抗して変位板部材の下部を前方へ変位させ、或いは下側ばね部材の付勢のもとに変位板部材の下部を後方へ変位させるように回動する下側回動カム機構部（Ｂｄ）と、
保持枠の上下方向壁（６１ｂ、６１ｃ）にその内面に沿うように支持されて駆動機構部の上記一方向への回動に応じて変位板部材の上下両壁を前方へ変位させるべく上記一方向への回動を上下両側回動カム機構部に伝達するように回動し、或いは駆動機構部の上記他方向への回動に応じて変位板部材の上下両壁を後方へ変位させるべく上記他方向への回動を上下両側回動カム機構部に伝達するように回動する回動伝達機構部（Ｂｂ）とを具備してなり、
ロック機構は、セキュリティ板の上記保持枠を上記枠体に解除可能にロックするようになっていることを特徴とする。
【００１１】
これによれば、セキュリティ板が、遊技機本体と前扉との間に開閉可能に支持されている。
【００１２】
このため、セキュリティ板を閉じたとき、当該セキュリティ板と遊技機本体との間には隙間が形成されない。従って、遊技機本体と前扉との間の隙間からピアノ線等を挿入させ得たとしても、当該ピアノ線等を、セキュリティ板と遊技機本体との間にまで挿入することは困難である。
【００１３】
従って、上記ピアノ線等は、遊技盤の盤面には到達し得ず、その結果、上述のような不正行為を未然に防止することができる。
【００１４】
また、セキュリティ板が閉じたとき、当該セキュリティ板は、上記保持枠にて、ロック機構により上記枠体にロックされるので、セキュリティ板を自由に開けることはできない。このため、当該パチンコ遊技機のセキュリティが向上する。
【００１５】
また、遊技球の球噛みが遊技盤とセキュリティ板の透明板との間で発生した場合には、前扉を閉じかつセキュリティ板をロックしたままで、回動伝達機構部からの回動を回動伝達機構部によりその回動でもって上側回動カム機構部及び下側回動カム機構部に伝達して、変位板部材を、球噛みの解消可能に保持枠内にて前方へ変位させるので、前扉及びセキュリティ板を開くことなく上記球噛みを解消し得ることとなり、便利である。
【００１６】
このとき、セキュリティ板は上述のごとくロックしたままであるから、当該パチンコ遊技機のセキュリティは、上記球噛みの解消前と同様に向上する。なお、遊技盤の盤面は、セキュリティ板の透明板を通して視認可能であるので、前扉から盤面を視認することに特に支障は生じない。
【００１９】
また、本発明は、請求項２の記載によれば、請求項１に記載のパチンコ遊技機において、
ロック機構は、
変位板部材の保持枠に支持されて回動伝達機構部から上記一方向或いは他方向への回動の伝達を受けて回動する回動部材（９１）と、
この回動部材に同軸的に支持されて枠体の一部に設けた係止部材（４１ｃ）に係止するように回動し、或いは当該係止部材から解離するように回動するロックレバー（９２）とを備えて、
当該ロックレバーの係止部材に対する係止によりセキュリティ板を枠体にロックし、このロックをロックレバーの係止部材からの解離により解除するようにしたことを特徴とする。
【００２０】
このような構成によれば、セキュリティ板のロック及びその解除がロック機構により確実になされることから、請求項１に記載の発明の作用効果をより一層確実に達成することができる。
【００２１】
また、本発明は、請求項３の記載によれば、請求項１または２に記載のパチンコ遊技機において、
遊技盤は、その盤面にその少なくとも下側外周部に沿い上に凹な湾曲状となるように設けられる内レール（３４）と、球落下防止装置（ＢＣ）とを備えて、
この球落下防止装置は、
上記内レールの下側部位の下面に沿い前後方向に変位する球受けレール（１００ａ）と、
セキュリティ板が変位板部材にて前方へ移動するのにあわせて、球受けレールを上記内レールの下側部位の下面に沿い前方へ移動させるように駆動する駆動機構（１００ｂ）とを具備することを特徴とする。
【００２２】
このように、上述のように構成した球落下防止装置を遊技盤に設けるようにしたので、遊技球の球噛みがセキュリティ板と遊技盤の盤面との間に生じたとき、球落下防止装置は、セキュリティ板の変位板部材の前方への移動にあわせて、駆動機構による駆動のもと、球受けレールを、内レールの下側部位の下面に沿い前方へ移動させる。
【００２３】
このため、遊技球がセキュリティ板の変位板部材の前方への移動に伴い球噛みから解消されて落下しても、当該遊技球は、内レールの下方へ落下することなく、球受けレールにより確実に受け止められて、内レールの上面を通り当該内レールの下端部直上に位置するアウト口を通して排出され得る。
【００２４】
また、本発明は、請求項４の記載によれば、請求項１〜３のいずれか１つに記載のパチンコ遊技機において、
遊技盤は、上記盤面の外周部から前方へ突出してなる装飾部品（３５）を備えており、
セキュリティ板は、その上記装飾部品に対する対応部位にて、空所（Ｇ）を当該装飾部品の挿通可能に形成してなることを特徴とする。
【００２５】
このような構成において、パチンコ遊技機では、一般的に、前扉に電飾部品等の装飾部品を設けることで、演出効果を高めることが行われている。ここで、パチンコ遊技機において、遊技盤は定期的に交換されるものの、前扉は交換されることなくそのまま維持されることが通常である。これでは、パチンコ遊技機としての装飾部品による演出効果を遊技盤の交換にあわせてさらに高めることはできない。
【００２６】
このため、電飾部品等の装飾部品を、前扉ではなく、遊技盤の盤面に突設することで、パチンコ遊技機としての装飾部品による演出効果を遊技盤の交換毎に新たに高めることができる。
【００２７】
ここで、セキュリティ板を遊技機本体に開閉可能に支持した場合には、セキュリティ板を閉じるにあたり、装飾部品が邪魔になって当該セキュリティ板を閉じることができない。そこで、上述のごとく、セキュリティ板に上記空所を設けることで、セキュリティ板を閉じるとき、装飾部品を上記空所に挿通させることにより、セキュリティ板を装飾部品により邪魔されることなく良好に閉じることができる。
【発明の効果】
【００２８】
本発明によれば、セキュリティ板が遊技機本体と前扉との間に開閉可能に支持されている。このため、セキュリティ板を閉じたとき、当該セキュリティ板と遊技機本体との間には隙間が形成されない。しかも、セキュリティ板は、閉じたとき、ロック機構によりロックされるので、セキュリティ板を自由に開けることはできない。このため、当該パチンコ遊技機のセキュリティが向上する。
【００２９】
また、遊技球の球噛みが遊技盤とセキュリティ板の透明板との間で発生した場合には、前扉を閉じかつセキュリティ板をロックしたままで、変位板部材を変位機構により球噛みの解消可能に保持枠内にて前方へ変位させるようにしたので、前扉及びセキュリティ板を開くことなく上記球噛みを解消し得ることとなり、便利である。
【００３０】
なお、上記各手段の括弧内の符号は、後述する実施形態に記載の具体的手段との対応関係を示す。
【図面の簡単な説明】
【００３１】
【図１】本発明に係るパチンコ遊技機の第１実施形態を、キー及び工具を前扉の施錠装置及び工具挿入穴部にそれぞれ挿入した状態にて示す正面図である。
【図２】図１のパチンコ遊技機の側面図である。
【図３】図１のパチンコ遊技機の平面図である。
【図４】図１にてセキュリティ板が原位置にあるときの４−４線に沿う断面図である。
【図５】図４にてセキュリティ板が前進位置に移動した状態を示す断面図である。
【図６】上記第１実施形態における前扉の分解斜視図である。
【図７】上記第１実施形態におけるパチンコ遊技機の分解斜視図である。
【図８】上記第１実施形態におけるセキュリティ板のその前面側から見たときの斜視図である。
【図９】上記第１実施形態におけるセキュリティ板のその後面側から見たときの斜視図である。
【図１０】図８のセキュリティ板の分解斜視図である。
【図１１】上記第１実施形態における変位板部材のその原位置にあるときの斜視図である。
【図１２】上記第１実施形態における変位板部材に対する球噛み解消のための外部操作が行われるときの斜視図である。
【図１３】上記第１実施形態における上側回動カム機構部が原回動位置にあるときの右側面断面図である。
【図１４】上記第１実施形態における上側回動カム機構部の球噛み解消のための外部操作が行われたときの右側面断面図である。
【図１５】上記第１実施形態における上側回動カム機構部のロック解除のための外部操作が行われたときの右側面断面図である。
【図１６】上記第１実施形態における下側回動カム機構部が原位置にあるときの右側面断面図である。
【図１７】上記第１実施形態における下側回動カム機構部の球噛み解消のための外部操作が行われたときの右側面断面図である。
【図１８】上記第１実施形態における下側回動カム機構部のロック解除のための外部操作が行われたときの右側面断面図である。
【図１９】上記第１実施形態におけるロック機構の係止部材に対する係止状態を示す正面図である。
【図２０】上記第１実施形態におけるロック機構の係止部材からの解離過程を示す正面図である。
【図２１】上記第１実施形態におけるロック機構の係止部材からの解離状態を示す正面図である。
【図２２】本発明に係るパチンコ遊技機の第２実施形態を示す部分破断正面図である。
【図２３】上記第２実施形態においてセキュリティ板の変位板部材のガラス板が原位置にあるときの図２２の２３−２３線に沿う断面図である。
【図２４】上記第２実施形態においてセキュリティ板の変位板部材のガラス板が前進位置にあるときの状態を示す球落下防止装置の断面図である。
【図２５】上記第２実施形態においてセキュリティ板の開状態にて球受けレールを後方へ押し込んだときの状態を示す球落下防止装置の断面図である。
【図２６】上記第２実施形態においてセキュリティ板を閉じる過程における状態を示す球落下防止装置の断面図である。
【図２７】上記第２実施形態において前方へ変位した状態にある球受けレールと内レールとの位置関係を説明するための遊技盤の部分破断斜視図である。
【図２８】上記第２実施形態において後方へ変位した状態にある球受けレールと内レールとの位置関係を説明するための遊技盤の部分破断斜視図である。
【発明を実施するための形態】
【００３２】
以下、本発明の各実施形態を図面により説明する。
【００３３】
（第１実施形態）
図１〜図３は、本発明を適用してなるパチンコ遊技機の第１実施形態を示しており、当該パチンコ遊技機は、パチンコホール内の設置島に立設されるものである。
【００３４】
このパチンコ遊技機は、図１〜図７のいずれかから分かるように、機枠（図示しない）、遊技盤Ｐを枠体Ｈに組み付けてなる遊技機本体と、この遊技機本体に開閉可能に支持される前扉Ｄ及びセキュリティ板Ｓとによって構成されている。なお、図１において、図示左側、右側、上側及び下側を、それぞれ、当該パチンコ遊技機の左側、右側、上側及び下側という。
【００３５】
前扉Ｄは、セキュリティ板Ｓを介し、枠体Ｈにその前面側から開閉可能に支持されているもので、この前扉Ｄは、扉本体Ｄａ（図２参照）と、この扉本体Ｄａの窓穴部１１にその裏面側から取り付けたガラス板１２とにより構成されている（図１参照）。
【００３６】
前扉Ｄは、上ヒンジ板２１（図２参照）と、下ヒンジ板（図示せず）とにより、枠体Ｈに上述のごとく開閉可能に支持されており、この前扉Ｄは、閉じたときに、遊技盤Ｐをその盤面３１側から覆い、また、開いたときに、遊技盤Ｐをその盤面３１側から開放する。なお、上記下ヒンジは、枠体Ｈの突出部４２（図７参照）の左端部上に装着されている。
【００３７】
また、前扉Ｄは、図７にて示すごとく、遊技球を貯留する球受け皿１３、この球受け皿１３内の遊技球を遊技盤Ｐの遊技領域３２へと打球するときに操作される発射ハンドル１４、遊技者の遊技への参加意識を高めるために所定の演出時に遊技者によりプッシュ操作される演出操作ボタン１５などを備えている。
【００３８】
ここで、扉本体Ｄａの窓穴部１１の外周部のうち各隅角部には、各貫通穴部１６〜１６が後述する各装飾部品３５に対応するように形成されている。なお、当該各貫通穴部１６〜１６には、その前側開口部にて、各透明板が嵌着されていてもよい。
【００３９】
また、前扉Ｄには、施錠装置１７が設けられており、この施錠装置１７は、キーＫの一方向回動操作により、前扉Ｄを枠体Ｈに対して施錠し、また、当該キーＫの他方向回動操作により、当該前扉Ｄの枠体Ｈに対する施錠を解錠する（図６参照）。なお、前扉Ｄには、工具挿入穴部１８が、図７にて示すごとく、後述する如き球噛み解消に用いる軸状工具Ｔを挿入するために設けられており、この工具挿入穴部１８は、後述のごとく内枠６２の外枠６１に対する上下動を許容するように上下方向に長穴状に形成されている。
【００４０】
遊技盤Ｐは、図７にて示すごとく、その盤面３１にて、外レール３３と内レール３４を備えており、これら外レール３３及び内レール３４は、その内周側にて、遊技盤Ｐの盤面３１上に遊技領域３２を形成している。
【００４１】
外レール３３は、発射ハンドル１４の回動操作により発射された遊技球を遊技領域３２へ案内する。遊技領域３２には、図示しないが、遊技釘、風車、普通入賞口装置、第１始動口を有するスタートチャッカー、第２始動口を有する電動チューリップ、大入賞口を有するアタッカー、ゲート（スルーチャッカー）、ステージやアウト口などが設けられている。
【００４２】
また、遊技盤Ｐは電飾部品などの三角柱状の複数の装飾部品３５を備えており、これら各装飾部品３５は、図７にて示すごとく、それぞれ、遊技盤Ｐの盤面３１の各隅角部に前方に向け突設されている。本第１実施形態では、各装飾部品３５は、それぞれ、セキュリティ板Ｓの各空所Ｇ（後述する）及び前扉Ｄの各貫通穴部１６〜１６に挿通されて、その前面３５ａにて遊技盤Ｐの盤面３１の前方を臨むようになっている。なお、遊技盤Ｐには、その裏面側から、画像表示器、電源回路や遊技制御回路（主基板、サブ基板）などが組み付けられている。
【００４３】
枠体Ｈは、図７にて示すごとく、四角形状の中空部を有する四角形状の枠部４１と、この枠部４１の下端から前方へ突出する突出部４２とにより構成されている。なお、遊技盤Ｐは、枠部４１の中空部内に嵌装されて、上述のごとく枠体Ｈに組み付けられている。
【００４４】
セキュリティ板Ｓは枠体Ｈに前後方向に開閉可能に支持されているもので、このセキュリティ板Ｓは、図７〜図１０のいずれかに示すように、矩形状の保持枠６１を備えている。
【００４５】
保持枠６１は、上壁６１ａと、左壁６１ｃと、右壁６１ｂと、下壁６１ｄとにより、矩形枠状に形成されており、この保持枠６１は、図７にて示すごとく、三角状の上ヒンジ板５１及び三角状の下ヒンジ板５２により、枠体Ｈに前後方向に回動可能に支持されている。このことは、セキュリティ板Ｓが上述のごとく枠体Ｈに前後方向に開閉可能に支持されていることを意味する。
【００４６】
本第１実施形態において、上ヒンジ板５１は、その前端角部にて、保持枠６１の上壁６１ａの左端部にヒンジピン５３により回動可能に支持されており、当該上ヒンジ板５１の後端部は、２つのネジにより、枠体Ｈの枠部４１の上壁部４１ａの左端部にその下側から締着されている。
【００４７】
一方、下ヒンジ板５２は、その前端角部にて、保持枠６１の下壁６１ｄの左端部にヒンジピン５４により回動可能に支持されており、当該下ヒンジ板５２の後端部は、２つのネジにより、枠体Ｈの枠部４１の下壁部の左端部にその上側から締着されている。これにより、保持枠６１は、上述のごとく、枠体Ｈに前後方向に回動可能に支持されている。
【００４８】
また、保持枠６１において、上壁６１ａは、図１０に示すように、左右方向に所定間隔を置いて２つの貫通した直線状長穴部６１ｅを有しており、各直線状長穴部６１ｅは、上壁６１ａの幅方向（当該パチンコ遊技機の前後方向）に沿い直線的に長く形成されている。当該各直線状長穴部６１ｅは、それぞれ、後述する各案内ピン６３ｇ（図１０参照）の外径よりも僅かに大きな左右方向の幅を有している。
【００４９】
下壁６１ｄは、上壁６１ａの各直線状長穴部６１ｅに対向する各直線状長穴部（それぞれ符号６１ｅにて示す）を有しており、当該下壁６１ｄの各直線状長穴部６１ｅは、上壁６１ａの各直線状長穴部６１ｅと同様の形状を有するように、下壁６１ｄに前後方向に長手状に形成されている。
【００５０】
また、保持枠６１は、図１０にて示すごとく、上下両側２組の各両捩りばね６１ｇを有している。両上側コイル状捩りばね６１ｇは、それぞれ、その各コイル部にて、各対応の上側支持ピン６１ｈに同軸的に挿入されている。なお、各上側支持ピン６１ｈは、保持枠６１の上壁６１ａのうちその各直線状長穴部６１ｅの近傍部位から上方へ突設されている。
【００５１】
しかして、当該両上側コイル状捩りばね６１ｇは、それぞれ、その各一端部にて、各対応の上側案内ピン６３ｇに係止されており、両上側コイル状捩りばね６１ｇの各他端部は、保持枠６１の上壁６１ａのうち各対応の直線状長穴部６１ｅの後端部の近傍に係止されている。これにより、両上側案内ピン６３ｇは、両上側コイル状捩りばね６１ｇにより、その各一端部を基準に、上壁６１ａのうち各対応の直線状長穴部６１ｅの後端部に向けて押し付けられるように付勢されている。
【００５２】
両下側コイル状捩りばね６１ｇは、それぞれ、その各コイル部にて、各対応の下側支持ピン６１ｈに同軸的に挿入されている。なお、各下側支持ピン６１ｈは、保持枠６１の下壁６１ｄのうちその各直線状長穴部６１ｅの近傍部位から下方へ突設されている。
【００５３】
しかして、当該両下側コイル状捩りばね６１ｇは、それぞれ、その各一端部にて、各対応の下側案内ピン６３ｇに係止されており、両下側コイル状捩りばね６１ｇの各他端部は、保持枠６１の下壁６１ｄのうち各対応の直線状長穴部６１ｅの後端部の近傍に係止されている。これにより、両下側案内ピン６３ｇは、両下側コイル状捩りばね６１ｇにより、その各一端部を基準に、下壁６１ｄのうち各対応の直線状長穴部６１ｅの後端部に向けて押し付けられるように付勢されている。
【００５４】
また、セキュリティ板Ｓは、図１０〜図１２にて示すごとく、回動装置Ｂ及び変位板部材６２を備えている。
【００５５】
回動装置Ｂは、保持枠６１にその内側から上壁６１ａ、右壁６１ｂ及び下壁６１ｄに沿うようにコ字状の構成にて組み付けられており、当該回動装置Ｂは、後述のごとく変位板部材６２を前後方向に変位させる変位機構Ｂ１と、後述のごとく保持枠６１を枠体Ｈに解除可能にロックするロック機構Ｂ２とにより構成されている。
【００５６】
変位機構Ｂ１は、図１０にて示すごとく、駆動機構部Ｂａと、回動伝達機構部Ｂｂ、上側回動カム機構部Ｂｃと、下側回動カム機構部Ｂｄとを備えている。
【００５７】
駆動機構部Ｂａは、互いに噛合する両傘歯車７１ａ、７１ｂを有しており、傘歯車７１ａは、前後方向軸７１ｃ及び軸受け７６を介し保持枠６１の右壁６１ｂにその左面側から支持されている。ここで、前後方向軸７１ｃは、前後方向に沿い延在するように、軸受け７６により保持枠６１の右壁６１ｂにその左面側から回動自在に支持されており、この前後方向軸７１ｃは、その前端部にて、軸状工具Ｔの軸部Ｔａに同軸的にかつ係脱可能に連結されるようになっている。また、傘歯車７１ａは、その歯部にて後方を臨むように前後方向軸７１ｃの後端部に同軸的に支持されて、工具Ｔに連動する前後方向軸７１ｃの回動方向と同一方向に回動する。
【００５８】
また、傘歯車７１ｂは、その歯部にて下方を臨むように、回動伝達機構部Ｂｂの上下方向軸７１ｄの軸方向中間部位に同軸的に支持されている。これにより、傘歯車７１ｂは、その軸にて、傘歯車７１ａに軸と直交するように位置して、当該傘歯車７１ａと噛合し、この傘歯車７１ａの回動に連動して上下方向軸７１ｄの軸周りに沿い一方向に回動する。このことは、駆動機構部Ｂａが、前後方向軸７１ｃの軸周り方向回動を、この前後方向軸７１ｃに対し直交する上下方向軸７１ｄの軸周り方向回動に変換することを意味する。
【００５９】
回動伝達機構部Ｂｂは、両傘歯車７２ｂ、７３ｂ（後述する）にそれぞれ噛合する両傘歯車７２ａ、７３ａを有しており、これら両傘歯車７２ａ、７３ａは、上下方向軸７１ｄ及び両軸受け７９、８０を介し保持枠６１の右壁６１ｂにその左面側から支持されている。
【００６０】
ここで、上下方向軸７１ｄは、その上端部にて、保持枠６１の右壁６１ｂの左面上端部に軸受け７９を介し回転自在に支持されており、この上下方向軸７１ｄの下端部は、右壁６１ｂの左面下端部に軸受け８０を介し回転自在に支持されている。これにより、上下方向軸７１ｄは、保持枠６１の右壁６１ｂに沿いその左面にて上下方向に延在するように回動自在に支持されている。
【００６１】
また、傘歯車７２ａは、その歯部にて、上下方向軸７１ｄの上方を臨むように、上下方向軸７１ｄの上端部に同軸的に支持されており、傘歯車７３ａは、その歯部にて、上下方向軸７１ｄの下方を臨むように、上下方向軸７１ｄの下端部に同軸的に支持されている。これにより、両傘歯車７２ａ、７３ａは、ともに、前後方向軸７１ｃの回動に伴いこの前後方向軸７１ｃと同一方向に回動する。
【００６２】
上側回動カム機構部Ｂｃは、回動伝達機構部Ｂｂの傘歯車７２ａに噛合する傘歯車７２ｂと、左右両側カム部材７４とを有している。傘歯車７２ａは、その歯部にて右方を臨むように、左右方向軸７２ｃの右端部に支持されて、傘歯車７２ａと噛合する。
【００６３】
ここで、左右方向軸７２ｃは、その左端部にて、軸受け８３（図１０参照）を介し保持枠６１の上壁６１ａにその下面左端部側から回動自在に支持されており、当該左右方向軸７２ｃの右端部は、保持枠６１の上壁６１ａにその下面右端部側から回動自在に支持されている。これにより、左右方向軸７２ｃは、保持枠６１の上壁６１ａに沿いその下面にて左右方向に延在するように回動自在に支持されて、傘歯車７２ｂをその軸にて傘歯車７２ａの軸に直交させるようにして当該傘歯車７２ａに噛合させる。このことは、上側回動カム機構部Ｂｃが、上下方向軸７１ｄの軸周り方向回動を、この上下方向軸７１ｄに直交する左右方向軸７２ｃの軸周り方向回動に変換することを意味する。
【００６４】
左右両側カム部材７４は、それぞれ、その各軸孔部にて、左右方向軸７２ｃの軸方向中間部位に互いに間隔をおいて同軸的に支持されており、当該左右両側カム部材７４は、左右方向軸７２ｃに連動して同一方向に回動する。
【００６５】
また、左右両側カム部材７４は、それぞれ、そのカム面にて、変位板部材６２の保持枠６３（後述する）の上壁６３ｃにその後面側から係合するように、左右方向軸７２ｃの軸方向中間部位に支持されている。
【００６６】
ここで、左右両側カム部材７４の各々のカム面は、図１３〜図１５に示すように、平面状カム面部７４ａと、円弧面状カム面部７４ｂとを有している。平面状カム面部７４ａは、後述のごとく、変位板部材６２のガラス板６４をその原位置から前進位置まで（或いは前進位置から原位置まで）変位させるように縦断面直線状に形成されている。これにより、左右両側カム部材７４の各々は、カム面部７４ａによる保持枠６３の上壁６３ｃとの係合のもと、図１３にて示す回動位置（以下、上側原回動角位置ともいう）から図１４及び図１５にて示す回動位置（以下、前進回動角位置ともいう）まで時計方向へ回動し、また、上記前進回動角位置から上記原回動角位置まで反時計方向へ回動する。
【００６７】
円弧面状カム面部７４ｂは、左右両側カム部材７４の各々の軸孔部の中心（左右方向軸７２ｃの軸心）を中心とする外方へ凸な縦断面円弧状にて、カム面部７４ａの反時計方向端部から反時計方向へ形成されている。これにより、左右両側カム部材７４の各々は、円弧面状カム面部７４ｂによる保持枠６３の上壁６３ｃとの係合のもと、変位板部材６２のガラス板６４を上記前進位置に維持する。
【００６８】
下側回動カム機構部Ｂｄは、図１０にて示すごとく、回動伝達機構部Ｂｂの傘歯車７３ａに噛合する傘歯車７３ｂと、左右両側カム部材７５とを有している。傘歯車７３ａは、その歯部にて右方を臨むように、左右方向軸７３ｃの右端部に支持されて、傘歯車７３ａと噛合する。
【００６９】
ここで、左右方向軸７３ｃは、その左端部にて、軸受け８６（図１０参照）を介し保持枠６１の下壁６１ｄにその上面左端部側から回動自在に支持されており、当該左右方向軸７３ｃの右端部は、下壁６１ｄにその上面右端部側から回動自在に支持されている。これにより、左右方向軸７３ｃは、保持枠６１の下壁６１ｄに沿いその上面にて左右方向に延在するように回動自在に支持されて、傘歯車７３ｂをその軸にて傘歯車７３ａの軸に直交させるようにして当該傘歯車７３ａに噛合させる。このことは、下側回動カム機構部Ｂｄが、上下方向軸７１ｄの軸周り方向回動を、この上下方向軸７１ｄに直交する左右方向軸７３ｃの軸周り方向回動に変換することを意味する。
【００７０】
左右両側カム部材７５は、それぞれ、その各軸孔部にて、左右方向軸７３ｃの軸方向中間部位に互いに間隔をおいて同軸的に支持されて左右両側カム部材７４に対向しており、当該左右両側カム部材７５は、左右方向軸７３ｃに連動して同一方向に回動する。
【００７１】
また、左右両側カム部材７５は、それぞれ、そのカム面にて、変位板部材６２の保持枠６３（後述する）の下壁６３ｄにその後面側から係合するように、左右方向軸７３ｃの軸方向中間部位に支持されている。
【００７２】
ここで、左右両側カム部材７５の各々のカム面は、左右両側カム部材７４の各々のカム面と同様に構成されており、当該左右両側カム部材７５の各々のカム面は、図１６〜図１８に示すように、平面状カム面部７４ａ及び円弧面状カム面部７４ｂにそれぞれ対応する平面状カム面部７５ａ及び円弧面状カム面部７５ｂを有する。
【００７３】
しかして、平面状カム面部７５ａは、後述のごとく、変位板部材６２のガラス板６４をその原位置から前進位置まで（或いは前進位置から原位置まで）変位させるように縦断面直線状に形成されている。これにより、左右両側カム部材７５の各々は、カム面部７５ａによる保持枠６３の下壁６３ｃとの係合のもと、図１６にて示す回動位置（以下、下側原回動角位置ともいう）から図１７及び図１８にて示す回動位置（下側前進回動角位置ともいう）まで時計方向へ回動し、また、上記前進回動角位置から上記原回動角位置まで反時計方向へ回動する。
【００７４】
円弧面状カム面部７５ｂは、左右両側カム部材７５の各々の軸孔部の中心（左右方向軸７３ｃの軸心）を中心とする外方へ凸な縦断面円弧状にて、カム面部７５ａの時計方向端部から時計方向へ形成されている。これにより、左右両側カム部材７５の各々は、円弧面状カム面部７５ｂによる保持枠６３の下壁６３ｄとの係合のもと、変位板部材６２のガラス板６４を上記前進位置に維持する。
【００７５】
ロック機構Ｂ２は、図１０にて示すごとく、傘歯車９１と、ロックレバー９２とを有している。傘歯車９１は、その軸にて、保持枠６１の右壁６１ｂの上下方向中間部位にその左面側から軸受け９３を介し回動自在に支持されており、この傘歯車９１は、その歯部にて、傘歯車７１ａの歯部に同軸的に対向するように位置して、傘歯車７１ｂと噛合する。
【００７６】
ロックレバー９２は、その基端部にて、傘歯車９１の軸に同軸的に支持されており、このロックレバー９２は、その基端部から傘歯車９１の軸に対し直交するように延出されて、枠体Ｈの右壁４１ｂに設けた係止部材４１ｃに係止可能となっている。本実施形態では、係止部材４１ｃは、その両脚部にて、枠体Ｈの右壁４１ｂの前面に装着されており、当該係止部材４１ｃは、そのコ字状係止部４１ｄにて、上記両脚部の各対向端部から前方へコ字状に突出されている。
【００７７】
しかして、ロックレバー９２は、図１９にて図示時計方向への回動により、その延出端部にて、係止部材４１ｃの係止部４１ｄ内に係止し、また、図２０及び図２１にて示すごとく、反時計方向への回動により、係止部材４１ｃの係止部４１ｄから解離する。
【００７８】
このことは、ロック機構Ｂ２は、図１９にて示す位置にあるロックレバー９２の係止部材４１ｃのコ字状係止部４１ｄ内への係止により、保持枠６１（換言すればセキュリティ板Ｓ）を枠体Ｈにロックし、図２０及び図２１にて示すごとく
反時計方向に回動するロックレバー９２の係止部材４１ｃのコ字状係止部４１ｄからの解離により、上記ロックを解除することを意味する。
【００７９】
変位板部材６２は、図７〜図１２のいずれかにて示すように、正八角形状の保持枠６３と、正八角形状のガラス板６４とを備えており、ガラス板６４は、保持枠６３の正八角形状中空部内に嵌め込まれている。なお、保持枠６３は、右壁６３ａ、左壁６３ｂ、上壁６３ｃ、下壁６３ｄ及び各傾斜壁６３ｅによって、上述のごとく、正八角形状に形成されている。
【００８０】
このように構成した変位板部材６２は、図７に示すように、次のようにして、保持枠６１の上壁６１ａと下壁６１ｄの間にて当該上壁６１ａ、下壁６１ｄに対し前後方向に変位可能となるように、当該保持枠６１の矩形状中空部内に組み付けられている。
【００８１】
ここで、変位板部材６２は、上下両側２組の各両案内ピン６３ｇ（図１０参照）を有しており、両上側案内ピン６３ｇは、それぞれ、保持枠６３の上壁６３ｃのうち保持枠６１における上壁６１ａの各対応の直線状長穴部６１ｅに対する各対応部位からそれぞれ上方へ突出されている。これにより、両上側案内ピン６３ｇは、それぞれ、各対応の直線状長穴部６１ｅ内にその長手方向（前後方向）へ相対変位可能に挿入されている。なお、両上側案内ピン６３ｇは、上壁６３ａのうち上壁６１ａの両直線状長穴部６１ｅに対する各対応部位に形成された両圧入孔部６３ｆの各々に圧入されて上方へ突出している。
【００８２】
両下側案内ピン６３ｇは、それぞれ、保持枠６３の下壁６３ｄのうち保持枠６１における下壁６１ｄの各対応の直線状長穴部６１ｅに対する各対応部位からそれぞれ下方へ突出されて、当該各対応の直線状長穴部６１ｅ内にその長手方向（前後方向）へ相対変位可能に挿入されている。なお、両下側案内ピン６３ｇは、下壁６３ｄのうち上下壁６１ｄの両直線状長穴部６１ｅに対向する各部位にて形成された両圧入孔部の各々に圧入されて下方へ突出している。
【００８３】
これにより、変位板部材６２は、上述のごとく、保持枠６１内にてその上下壁６１ａ、６１ｄの間にて当該上下壁６１ａ、６１ｄに対し各直線状長穴部６１ｅに沿い前後方向に変位可能となっている。
【００８４】
本第１実施形態では、後述のごとく変位板部材６２の前方への変位に伴いガラス板６４が遊技盤Ｐの盤面３１との間の遊技球の球噛みの解消可能な位置（変位板部材６２の前進位置）に達したときに左右上側案内ピン６３ｇが左右上側直線状長孔部６１ｅ内にて達する各前進位置を、当該左右上側直線状長孔部６１ｅの各所定の前後方向中間部位とするとともに、左右下側案内ピン６３ｇが左右下側直線状長孔部６１ｅ内にて達する各前進位置を、当該左右下側直線状長孔部６１ｅの各所定の前後方向中間部位に対応させるように設定してある。従って、工具Ｔを上述のごとく係止部材４１ｃとの係止から解離させるには、工具Ｔを上述のようなさらなる時計方向への回動させることで、左右上側案内ピン６３ｇを左右上側直線状長孔部６１ｅの各後端部まで移動させるとともに左右下側案内ピン６３ｇを左右下側直線状長孔部６１ｅの各後端部まで移動させる。
【００８５】
また、上述のように変位板部材６２を保持枠６１内に組み付けることで、保持枠６１の各隅角部と保持枠６３の各々対応する傾斜壁６３ｅとの間には、三角形状の空所Ｇが形成され、各空所Ｇは、図７に例示するように、遊技盤Ｐの各装飾部品３５を挿通させる役割を果たす。なお、セキュリティ板Ｓの開閉の際に、各装飾部品３５が、各対応の空所Ｇの内周部と干渉しあわないように、各空所Ｇの開口形状が大きく形成されている。
【００８６】
以上のように構成した本第１実施形態において、当該パチンコ遊技機では、前扉Ｄが、セキュリティＳとともに、遊技盤Ｐを介し枠体Ｈを閉じた状態にあるものとする。
【００８７】
このような状態では、図１３に示すように、回動装置Ｂの両上カム部材７４が。その各平面状カム面部７４ａにて、保持枠６３の上壁６３ｃの後面と係合し、両上側案内ピン６３ｇは、それぞれ、図８及び図９に示すように、各対応の上側コイル状捩りばね６１ｇのばね力により上壁６１ａの各対応の直線状長穴部６１ｅの後端部に押し付けられた状態に保持される。また、両下カム部材７５が、その平面状カム面部７５ａにて、図１６に示すように、保持枠６３の下壁６３ｄの後面と係合し、両下側案内ピン６３ｇは、それぞれ、各対応の下側コイル状捩りばね６１ｇのばね力により下壁６１ａの各対応の直線状長穴部６１ｅの後端部に押し付けられた状態に保持される。これにより、変位板部材６２は、図４、図８及び図９に示すように、上記原位置に保持されている。
【００８８】
また、ロック機構Ｂ２は、図１９に示すように、ロックレバー９２にて、枠体Ｈの係止部材４１ｄの係止部４１ｃに係止して、セキュリティ板Ｓを枠体Ｈにロックしている。
【００８９】
このような状態においては、セキュリティ板Ｓが、遊技盤Ｐを介し上記遊技機本体を閉じている。このため、セキュリティ板Ｓと上記遊技機本体との間において隙間がわずかでも生じることがない。
【００９０】
従って、隙間が、前扉Ｄと上記遊技機本体との間に生じていても、上述のようにセキュリティ板Ｓと上記遊技機本体との間には隙間が発生しない。
【００９１】
このため、不正行為者が、当該パチンコ遊技機に対して不正行為を行うべく、前扉Ｄと上記遊技機本体との間の隙間からピアノ線などを進入させたとしても、遊技盤Ｐの盤面３１はセキュリティ板Ｓにより覆われていることから、ピアノ線などをセキュリティ板Ｓと上記遊技機本体との間から進入させることは困難である。このことは、上述した不正行為を未然に防止し得ることを意味する。
【００９２】
このような状態において、当該パチンコ遊技機による遊技過程にて、遊技球が、変位板部材６２と遊技盤Ｐの盤面３１との間に挟まれることで、いわゆる球噛みが、遊技盤Ｐの盤面３１と変位板部材６２との間に発生した場合、セキュリティ板Ｓが、上述のごとく、ロック機構Ｂ２によりロックされた状態で、閉じたままとなっている。従って、前扉Ｄを開いてセキュリティ板Ｓを開こうとしても開くことはできない。
【００９３】
そこで、例えば、ホールの作業者が、軸状工具Ｔの把持部を把持して、軸部Ｔａを前扉Ｄの工具挿入穴部１８に挿入して、軸部Ｔａを回動装置Ｂの前後方向軸７１ｃに連結する。
【００９４】
そして、軸状工具Ｔを各捩りばね６１ｇの付勢力に抗して図１１に円弧状矢印で示すように時計方向へ回動操作すると、前後方向軸機構部Ｂａにおいて、前後方向軸７１ｃが軸状工具Ｔと同一方向へ回動し、傘歯車７１ａが前後方向軸７１ｃと同一方向へ回動する。
【００９５】
これに伴い、傘歯車７１ｂが、傘歯車７１ａとの噛合のもとに当該傘歯車７１ａにより回動されて、回動伝達機構部Ｂｂの上下方向軸７１ｄが、両傘歯車７２ａ、７３ａとともに、傘歯車７１ｂと同一方向（図１１にて図示矢印方向参照）へ回動する。
【００９６】
上述のように傘歯車７２ａが回動すると、上側回動カム機構部Ｂｃの傘歯車７２ｂが、傘歯車７２ａとの噛合のもとに、当該傘歯車７２ａにより回動されて、上側左右方向軸７２ｃ及び両上カム部材７４とともに、図１１にて図示矢印方向に回動する。また、上述のように傘歯車７３ａが回動すると、下側回動カム機構部Ｂｄの傘歯車７３ｂが、傘歯車７３ａとの噛合のもとに、当該傘歯車７３ａにより回動されて、下側左右方向軸７３ｃ及び両下側カム部材７５とともに、図１１にて図示矢印方向に回動する。
【００９７】
また、上述のように両上カム部材７４が回動すると、変位板部材６２における保持枠６３の上壁６３ｃが、両上カム部材７４により、その各平面状カム面部７４ａにて、前方へ押動される（図１３参照）。このとき、両上側案内ピン６３ｇは、それぞれ、両上側捩りばね６１ｇの各付勢力に抗して各対応の直線状長穴部６１ｅに沿い前方へ移動する。また、上述のように両上カム部材７５が回動すると、保持枠６３の下壁６３ｄが、両上カム部材７５により、その各平面状カム面部７５ａにて、前方へ押動される（図１６参照）。このとき、両下側案内ピン６３ｇは、それぞれ、両下側捩りばね６１ｇの各付勢力に抗して各対応の直線状長穴部６１ｅに沿い前方へ移動する。以上により、変位板部材６２が、保持枠６１内にて原位置から前方へ変位する。
【００９８】
このような状態において、両上カム部材７４が、それぞれ、各平面状カム面部７４ａによる保持枠６３の上壁６３ｃの後面との係合を終えて、図１４及び図１５にて示すごとく、各円弧状カム面部７５ｂにより保持枠６３の上壁６３ｃの後面と係合するとともに、両下カム部材７５が、それぞれ、各平面状カム面部７５ａによる保持枠６３の下壁６３ｄの後面との係合を終えて、図１７及び図１８にて示すごとく、各円弧状カム面部７５ｂにより保持枠６３の下壁６３ｄの後面と係合する。このとき、両上側案内ピン６３ｇ及び両下側案内ピン６３ｇは、それぞれ、保持枠６１の各対応の直線状長穴部６１ｅの前端部に係合する。
【００９９】
このことは、変位板部材６２が上記前進位置に変位して、ガラス板６４と遊技盤Ｐの盤面３１との間隔を、遊技球の直径よりも、一様に拡大することを意味する。その結果、遊技球が、その球噛みから容易に解放され得る。
【０１００】
このように球噛みが解消した状態においては、セキュリティ板Ｓは、上述のごとく、閉じたままでロック機構Ｂ２によりロックされている。このとき、セキュリティ板Ｓにおいては、変位板部材６２と遊技盤Ｐの盤面３１との間の間隔が上述のように広くなっても、当該変位板部材６２と保持枠６１との間の関係は、変位板部材６２の原位置における場合と同様であるので、何ら不正を行う余地は発生しない。
【０１０１】
上述のようにして遊技球の球噛みを解消した後は、工具Ｔを上述とは逆に反時計方向に回動させると、前後方向軸７１ｃが傘歯車７１ａとともに反時計方向へ回動し、傘歯車７１ｂが、傘歯車７１ａとの噛合のもと、上下方向軸７１ｄ及び両傘歯車７２ａ、７３ａとともに図１１にて図示矢印とは反対方向に回動する。
【０１０２】
これに伴い、傘歯車７２ｂが、傘歯車７２ａとの噛合のもとに、上側左右方向軸７２ｃ及び両上カム部材７４とともに、図１１にて図示矢印とは反対方向に回動し、一方、傘歯車７３ｂが、傘歯車７３ａとの噛合のもとに、下側左右方向軸７３ｃ及び両下カム部材７５とともに、図１１にて図示矢印とは反対方向に回動する。
【０１０３】
上述のように両上カム部材７４が図１１にて図示矢印とは反対方向に回動すると、変位板部材６２における保持枠６３の上壁６３ｃが、両上カム部材７４の各円弧状カム面部７４ｂからの解離に伴い各平面状カム面部７４ａと係合する。また、上述のように両下カム部材７５が図１１にて図示矢印とは反対方向に回動すると、保持枠６３の下壁６３ｄが、両上カム部材７５の各円弧状カム面部７５ｂからの解離に伴い各平面状カム面部７５ａと係合する。
【０１０４】
このように、保持枠６３の上壁６３ｃ及び下壁６３ｄが、それぞれ、両上カム部材７４の各平面状カム面部７４ａ及び両下カム部材７５の平面状カム面部７５係合すると、両上側案内ピン６３ｇ及び両下側案内ピン６３ｇが、両上側捩りばね６１ｇ及び両下側捩りばね６１ｇの後方への付勢力のもとに、それぞれ各対応の直線状長穴部６１ｅに沿い後方へ引っ張られて、保持枠６３を後方へ変位させる。
【０１０５】
そして、両上側案内ピン６３ｇ及び両下側案内ピン６３ｇが、各対応の直線状長穴部６１ｅの後端部に係止すると、変位板部材６２は上記原位置に戻る。これに伴い、ロックレバー９２は、図１９に示す元の状態に戻るが、セキュリティ板Ｓをロックしたままにある。上述のように変位板部材６２が原位置に戻った後は、工具Ｔを前扉Ｄの工具挿入穴部１８から抜き取る。
【０１０６】
また、何らかの理由によりセキュリティ板Ｓを開く必要が発生した場合には、ホールの作業者が、キーＫを用いて前扉Ｄの施錠装置１７を解錠して前扉Ｄを開き、セキュリティ板Ｓを前面に露出させる。その後、工具Ｔの把持部を把持して、軸部Ｔａを回動装置Ｂの前後方向軸７１ｃに連結する。
【０１０７】
そして、工具Ｔを図２０及び図２１にて示すごとくさらに時計方向に回動させると、前後方向軸７１が、同様に時計方向へ回動し、ロックレバー９２が、図２１に示すように、係止部材４１ｄの係止部４１ｃから解離して、セキュリティ板Ｓが、枠体Ｈに対するロック状態から解除される。これにより、セキュリティ板Ｓは枠体Ｈから開放可能になる。
【０１０８】
このような状態において、作業者がセキュリティ板Ｓを開け、必要な処理を終了した後は、作業者は、セキュリティ板Ｓを閉じ、工具Ｔの把持部を把持して、軸部Ｔａを回動装置Ｂの前後方向軸７１ｃに連結する。そして、軸状工具Ｔを回動操作することにより、ロックレバー９２が係止部材４１ｄの係止部４１ｃに係止すれば、セキュリティ板Ｓは枠体Ｈにロックされる。その後、作業者は前扉Ｄを閉じ、キーＫを用いて施錠装置１７を施錠する。
【０１０９】
以上説明したように、本第１実施形態においては、セキュリティ板Ｓが遊技盤Ｐを有する遊技機本体と前扉Ｄとの間に開閉可能に支持されている。
【０１１０】
これによれば、セキュリティ板Ｓを閉じたときには、当該セキュリティ板Ｓと遊技機本体との間には隙間が形成されない。従って、前扉Ｄと遊技機本体との間の隙間からピアノ線などを挿入させ得たとしても、当該ピアノ線などを、セキュリティ板Ｓと遊技機本体との間にまで挿入することは困難である。
【０１１１】
このため、上記ピアノ線などは、遊技盤Ｐの盤面３１に到達し得ず、その結果、上述のような不正行為を未然に防止することができる。
【０１１２】
また、セキュリティ板Ｓは、上述のごとく、ロック機構Ｂ２により枠体Ｈにロックされるので、セキュリティ板Ｓを自由に開けることができない。このため、当該パチンコ遊技機におけるセキュリティが向上する。
【０１１３】
また、球噛みが発生した場合には、上述のごとく、前扉Ｄを閉じた状態でセキュリティ板Ｓをロックしたままにて、軸状工具Ｔを用いて変位板部材６２を前方へ変位させることで、当該変位板部材６２と遊技盤Ｐとの間隔を遊技球の直径よりも拡大させるようにしたため、前扉Ｄ及びセキュリティ板Ｓを開けることなく上記球噛みを解消することが可能になり、便利である。このとき、セキュリティ板Ｓは、上述のごとくロックしたままであるので、当該パチンコ遊技機のセキュリティは、球噛みの解消前と同様に向上する。
【０１１４】
また、遊技盤Ｐは、その盤面３１に突設された装飾部品３５を備えると共に、セキュリティ板Ｓは各空所Ｇを備えている。このため、セキュリティ板Ｓを閉じたとき、各装飾部品３５は各対応の空所Ｇを貫通してセキュリティ板Ｓの前方へ突出する。このことは、セキュリティ板Ｓを装飾部品３５により邪魔されることなく枠体Ｈに対し閉じることができることを意味する。
【０１１５】
また、パチンコ遊技機では、一般的に、前扉Ｄに電飾部品等の装飾部品を設けることで、演出効果を高めることが行われている。ここで、パチンコ遊技機において、遊技盤Ｐは定期的に交換されるものの、前扉Ｄは交換されることなくそのまま維持されることが通常である。これでは、パチンコ遊技機としての装飾部品による演出効果を遊技盤の交換にあわせてさらに高めることはできない。
【０１１６】
このため、本第１実施形態では、装飾部品３５が、前扉Ｄではなく、遊技盤Ｐの盤面に突設されているので、パチンコ遊技機としての装飾部品による演出効果を遊技盤の交換毎に新たに高めることができる。
【０１１７】
なお、セキュリティ板Ｓの形状は、上述した第１実施形態では四角形状としたが、遊技盤Ｐの盤面３１における遊技領域３２の形状に対応する形状（略円形形状）で構成してもよく、装飾部品３５がこのセキュリティ板の外側に配置されるようにしてもよい。また、上述した第１実施形態では、セキュリティ板Ｓの変位板部材６２を前後方向へ移動可能に構成したが、セキュリティ板Ｓ全体を前後方向へ変位可能に構成してもよい。
【０１１８】
（第２実施形態）
図２２及び図２３は、本発明に係るパチンコ遊技機の第２実施形態の要部を示している。この第２実施形態では、上記第１実施形態にて述べたパチンコ遊技機の遊技盤Ｐにおいて、球落下防止装置ＢＣが、付加的に採用されており、この球落下防止装置ＢＣは、図２２に示すごとく、遊技盤Ｐのうち内レール３４の下端部近傍部位（符号３６にて示すアウト口の近傍部位）に組み付けられている。
【０１１９】
当該球落下防止装置ＢＣは、図２３にて示すごとく、球受けレール１００ａと、駆動機構１００ｂとにより構成されている。球受けレール１００ａは、上記第１実施形態にて述べた内レール３４の下面に沿い、後述のごとく前後方向に変位可能に駆動機構１００ｂにより支持されている。
【０１２０】
ここで、内レール３４の下側レール部３４ａは、内レール３４の全長の半分程度の長さを有する。従って、球受けレール１００ａの全長も、内レール３４の全長の半分程度の長さに相当する。また、球受けレール１００ａの幅は、セキュリティ板Ｓにおいて前進位置にあるガラス板６４と内レール３４の下側レール部３４ａとの間隙を塞ぐ程度（例えば、遊技球の外径よりも狭くする程度）の幅を有する。
【０１２１】
駆動機構１００ｂは、ケーシング１００ｃを有しており、このケーシング１００ｃは、下側レール部３４ａの下端部の下側にて遊技盤Ｐに形成した開口部Ｐ１（図２３参照）に嵌装されている。ここで、ケーシング１００ｃは、底壁１０１と、この底壁１０１の左右両端部から上方へ延出する左右壁（図示しない）と、この左右壁の各後端部に沿い底壁１０１の後端部から上方へ延出する後壁１０２とにより構成されて、凹所１０３を形成する。
【０１２２】
ここで、当該凹所１０３は、左右方向には断面コ字状となり、かつ前後方向にはＬ字状となって、上方及び前方に向けて開口する。このことは、球受けレール１００ａの後方への変位状態及びセキュリティ板Ｓの閉状態にあっては、ケーシング１００ｃは、凹所１０３にて、球受けレール１００ａの下面及びセキュリティ板Ｓのガラス板６４の後面に向けて開口することを意味する。
【０１２３】
また、駆動機構１００ｂは、図２３にて示すごとく、上下両側摺動体１１０、１２０及び両コイルスプリング１３０、１４０を有しており、上下両側摺動体１１０、１２０は、それぞれ、ケーシング１００ｃの凹所１０３内にその前後方向に向けて相対摺動可能に嵌装されている。
【０１２４】
上側摺動体１１０は、図２３にて示すごとく、摺動体本体１１１と、この摺動体本体１１１の後端部から後方へ延出するロッド１１２とにより構成されている。摺動体本体１１１は、平板状のもので、この摺動体本体１１１は、厚肉部１１１ａと、薄肉部１１１ｂとを備えている。
【０１２５】
厚肉部１１１ａは、摺動体本体１１１の後側半分部位からなるもので、この厚肉部１１１ａは、その下側前端隅角部にて、図２３にて示すごとく、縦断面傾斜状に切り欠かれている。これにより、厚肉部１１１ａの下側前端隅角部には、図２３にて示すごとく、左上側から右下方側に向けて、傾斜面１１１ｃが形成されている。
【０１２６】
薄肉部１１１ｂは、摺動体本体１１１の前側半分部位からなるもので、この薄肉部１１１ｂは、厚肉部１１１ａの前端部から前方へ延出するように当該厚肉部１１１ａと一体的に形成されている。この薄肉部１１１ｂの延出端部には、球受けレール１００ａが、その後縁部の左右方向中央部にて、連結されて、前方へ延出している。これにより、上側摺動体１１０は、球受けレール１００ａを、その上面にて、内レール３４の下側レール部３４ａの下面に沿うように支持する。
【０１２７】
ロッド１１２は、摺動体本体１１１の厚肉部１１１ａの中央後端部から後方に延出してなるもので、このロッド１１２は、ケーシング１００ｃの後壁１０２（凹所１０３の後壁）の凹部１０２ａ（後述する）及び後方突出壁１０４（後述する）の上側貫通穴部１０４ａに軸方向に摺動可能に挿通されている。
【０１２８】
ここで、ケーシング１００ｃは、後方突出壁１０４を有しており、この後方突出壁１０４は、後壁１０２の左右方向中央部位から後方へ一体的に突出されている。当該後方突出壁１０４は、上下両側挿通穴部１０４ａ、１０４ｂを有しており、これら上下両側挿通穴部１０４ａ、１０４ｂは、後方突出壁１０４及び後方突出壁１０４の双方に亘り形成された上下両側凹部１０２ａ、１０２ｂと同軸的に位置するように、後方突出壁１０４に上下に間隔をおいて形成されている。
【０１２９】
また、上側貫通穴部１０４ａは、後述のようにロッド１１２の上下方向への変位を許容するように、ロッド１１２の上下方向幅よりも、所定値だけ大きく形成されている。なお、上下両側凹部１０２ａ、１０２ｂは、詳細には、上側摺動体１１０のロッド１１２及び下側摺動体１２０のロッド１２２（後述する）と前後方向において同軸的に位置するように、後壁１０２及び後方突出壁１０４の前側部位に亘り、上下に間隔をおいて形成されている。
【０１３０】
下側摺動体１２０は、図２３にて示すごとく、摺動体本体１２１と、この摺動体本体１２１の後端部から後方へ延出するロッド１２２とにより構成されている。摺動体本体１２１は、平板状のもので、当該摺動体本体１２１は、ケーシング１００ｃの底壁１０１（凹所１０３の底壁）と上側摺動体１１０との間にて前後方向に摺動可能に凹所１０３内に収容されて、上記第１実施形態にて述べたセキュリティ板Ｓの外側保持枠６１に設けた立ち上がり壁部６１ｉに向けて延出している。なお、立ち上がり壁部６１ｉは、外側保持枠６１の下壁６１ｄの後端部から上方へ突出するように形成されている。
【０１３１】
また、当該摺動体本体１２１は、その上側後端隅角部にて、図２３にて示すごとく、縦断面傾斜状に切り欠かれている。これにより、摺動体本体１２１の上側後端隅角部には、図２３にて示すごとく、上側摺動体１１０の傾斜面１１１ｃに平行となるように傾斜面１２１ａが形成されている。
【０１３２】
本第２実施形態では、球受けレール１００ａが、その前端部にて、内レール３４の下側レール部３４ａの前端部に下方から重なるように位置するとき、上側摺動体１１０のロッド１１２は、その下端面にて、ケーシング１００の後方突出壁１０４の上側貫通穴部１０４ａの下側内面上に位置するととともに、上側摺動体１１０の傾斜面１１１ｃは、下側摺動体１２０の傾斜面１２１ａに係合する（図２５参照）。このような状態で下側摺動体１２０が後方へ押動されると、上側摺動体１１０は、その傾斜面１１１ｃにて、下側摺動体１２０の傾斜面１２１ａに沿い上方へ押動されて当該傾斜面１２１ａから解離するとともに、ロッド１１２は、その上端面にて、ケーシング１００の後方突出壁１０４の上側貫通穴部１０４ａの上側内面に沿い位置する（図２３参照）。
【０１３３】
ロッド１２２は、ロッド部１２２ａと、鍔部１２２ｂとにより構成されており、ロッド部１２２ａは、摺動体本体１２１の中央後端部から後方に延出されてケーシング１００の後壁１０２の下側凹部１０２ｂ及び後方突出壁１０４の下側貫通穴部１０４ｂに同軸的に前後方向に摺動可能に挿通されている。鍔部１２２ｂは、ロッド部１２２ａの延出端部に同軸的に固着されて、下側摺動体１２０の前方への抜け止め部としての役割を果たす。
【０１３４】
コイルスプリング１３０は、上側摺動体１１０のロッド１１２に嵌装されており、当該コイルスプリング１３０は、その前端部にて、上側摺動体１１０の厚肉部１１１ａの後端部に係止するとともに、その後端部にて、ケーシング１００の後壁１０２の上側凹部１０２ａ内に挿入されて後方突出壁１０４にその前側から係止している。これにより、当該コイルスプリング１３０は、上側摺動体１１０の摺動体本体１１１を前方に向けて付勢する。
【０１３５】
また、コイルスプリング１４０は、下側摺動体１２０のロッド１２２に嵌装されており、当該コイルスプリング１４０は、その前端部にて、下側摺動体１２０の摺動体本体１２１の後端部に係止するとともに、その後端部にて、ケーシング１００の後壁１０２の下側凹部１０２ｂ内に挿入されて後方突出壁１０４にその前側から係止している。これにより、当該コイルスプリング１４０は、下側摺動体１２０の摺動体本体１２１を前方に向けて付勢する。その他の構成は、上記第１実施形態と同様である。
【０１３６】
このように構成した本第２実施形態において、上記第１実施形態と同様に、セキュリティＳの変位板部材６２のガラス板６４が、セキュリティ板Ｓの閉状態において、原位置にあるとき、球落下防止装置ＢＣの球受けレール１００ａは、図２３にて示すごとく、コイルスプリング１３０により上側摺動体１１０の摺動体本体１１１を介し前方へ付勢されて、原位置にあるガラス板６４に係合している。
【０１３７】
このとき、上側摺動体１１０は、厚肉部１１１ａの下面にて、下側摺動体１２０の摺動体本体１２１の上面後部上に位置するとともに、下側摺動体１２０は、摺動体本体１２１にて、セキュリティ板Ｓの外枠６１の立ち上がり壁部６１ｉにその後方から係合するとともに、鍔部１２２ｂにて、ケーシング１００の後方突出壁１０４から後方に離れて位置している（図２３参照）。
【０１３８】
このような状態において、上記第１実施形態と同様に球噛みの発生に伴う変位板部材６２のガラス板６４の前進位置への変位に応じて、上側摺動体１１０は、摺動体本体１１１にて、コイルスプリング１３０による付勢のもと、前方へ摺動するととともに、球受けレール１００ａが、上側摺動体１１０により押し出されて前方へ変位する（図２４参照）。
【０１３９】
このことは、球受けレール１００ａが、ガラス板６４の前進に追随しながら前方へ変位するように駆動機構１００ｂにより駆動されることを意味する（図２７参照）。なお、このとき、下側摺動体１２０は、鍔部１２２ｂにて、ケーシング１００の後方突壁１０４の下側貫通穴部１０４ｂの後端開口外周部に、コイルスプリング１４０の付勢力に抗して、係止する。
【０１４０】
従って、上述のようなガラス板６４の前進により当該ガラス板６４と遊技盤Ｐの盤面１１との間隔が大きくなって、遊技球が内レール３４の前縁部とガラス板６４との間から落下し易い状態になっても、球受けレール１００ａが、ガラス板６４と内レール３４との間隙を塞ぎながら前方へ変位する。このため、球噛みの解消により落下する遊技球は、球受けレール１００ａにより下方から確実に受け止められて、セキュリティ板Ｓと遊技盤Ｐとの間から落下することなく、アウト口３６内に排出されていく
然る後、上述のように球噛みを解消した後、上記第１実施形態と同様にセキュリティ板Ｓの変位板部材６２のガラス板６４を原位置に戻した後、セキュリティ板Ｓを上記第１実施形態にて述べたと同様にして開く。
【０１４１】
ついで、球受けレール１００ａを、図２４にて図示矢印にて示す方向に押し込むと、当該球受けレール１００ａが、その前縁部にて、図２８にて示すごとく、内レール３４の前縁部に重なる位置に変位したとき、上側摺動体１１０が、その自重により、図２５にて示すごとく、傾斜面１１１ｃにて、下側摺動体１２０の傾斜面１２１ａに沿い下方へ変位しながらこの傾斜面１２１ａに係合する。
【０１４２】
これに伴い、下側摺動体１２０が前方へ押し出されるが、鍔部１２２ａがケーシング１００の後方突出壁１０４にその後方から係合するため、下側摺動体１２０は、図２６にて示すごとく、傾斜面１２１ａと傾斜面１１１ｃとの係合を維持する。
【０１４３】
然る後、上記第１実施形態にて述べたと同様にセキュリティ板Ｓを閉じると、外枠６１が、その立ち上がり壁部６１ｉにて、下側摺動体１２０にその前側から係合することで、上述した両傾斜面１１１ｃ、１２１ａ間の係合を良好に維持する。
【０１４４】
以上のように、本第２実施形態においては、球噛みの解消が上述のようになされたとき、落下する遊技球が球落下防止装置ＢＣによりその球受けレール１００ａにより確実に受け止められてアウト口３６内に排出されていくので、球噛み解消の際の遊技球がセキュリティ板Ｓと遊技盤Ｐとの間から落下する事態を未然に防止することができる。その他の作用効果は上記第１実施形態と同様である。
【０１４５】
なお、駆動機構１００ｂは、電磁ソレノイドなど電気的アクチュエータで構成し、セキュリティ板Ｓの前進時に球受けレール１００ａを前進さセキュリティ板Ｓの後退時に球受けレール１００ｂを後退させるよう構成してもよい。
【０１４６】
また、駆動機構部Ｂａは、工具Ｔを含む概念として把握してもよい。
【符号の説明】
【０１４７】
Ｂ１…変位機構、Ｂ２…ロック機構、Ｂａ…駆動機構部、Ｂｂ…回動伝達機構部、
Ｂｃ…上側回動カム機構部、Ｂｄ…下側回動カム機構部、Ｄ…前扉、Ｇ…空所、
Ｈ…枠体、Ｐ…遊技盤、Ｓ…セキュリティ板、Ｔ…軸状工具、Ｔａ…軸部、
ＢＣ…落下球受け装置、３１…盤面、３４…内レール、３５…装飾部品、
４１ｃ…係止部材、６１…保持枠、６１ａ…上壁、６１ｂ…右壁、６１ｃ…左壁、
６１ｄ…下壁、６１ｇ…捻りばね、６２…変位板部材、６４…ガラス板、
９１…傘歯車、９２…ロックレバー、１００ａ…球受けレール、
１００ｂ…駆動機構。
【図１】
0005595808.tif 000002
【図２】
0005595808.tif 000003
【図３】
0005595808.tif 000004
【図４】
0005595808.tif 000005
【図５】
0005595808.tif 000006
【図６】
0005595808.tif 000007
【図７】
0005595808.tif 000008
【図８】
0005595808.tif 000009
【図９】
0005595808.tif 000010
【図１０】
0005595808.tif 000011
【図１１】
0005595808.tif 000012
【図１２】
0005595808.tif 000013
【図１３】
0005595808.tif 000014
【図１４】
0005595808.tif 000015
【図１５】
0005595808.tif 000016
【図１６】
0005595808.tif 000017
【図１７】
0005595808.tif 000018
【図１８】
0005595808.tif 000019
【図１９】
0005595808.tif 000020
【図２０】
0005595808.tif 000021
【図２１】
0005595808.tif 000022
【図２２】
0005595808.tif 000023
【図２３】
0005595808.tif 000024
【図２４】
0005595808.tif 000025
【図２５】
0005595808.tif 000026
【図２６】
0005595808.tif 000027
【図２７】
0005595808.tif 000028
【図２８】
0005595808.tif 000029